(57)【特許請求の範囲】
【請求項１】
遊技球が入賞可能な入賞口が設けられた遊技盤と、
前記遊技盤の下端部に開口し、前記入賞口に入賞しなかった遊技球を外部に排出する排出通路に連通するアウト口と、
前記アウト口の上方の前記遊技盤に開口する開口部と、
前記遊技盤の背面側に設けられ、遊技球を貯留する球タンクと、
前記球タンクに連通し、前記球タンクに貯留された遊技球を受皿に供給する第１の通路および前記開口部に供給する第２の通路を備えた球通路と、
前記球通路内に設けられ、前記球通路を通過する遊技球を前記第１の通路または第２の通路に送り出す状態と前記第１の通路または第２の通路に送り出すのを規制する状態とに可変する球送り出し制御部材と、
前記球送り出し制御部材の下流側の前記球通路内に設けられ、前記球通路を通過する遊技球の流路を前記第１の通路または前記第２の通路の何れか一方に切換える切換部材と、
遊技球の流路が前記第２の通路側に切換わるように前記切換部材が切換えられたことに連動して、前記球送り出し制御部材の規制を解除する解除部材とを備えたことを特徴とする遊技機。
【請求項２】
前記開口部は、前記アウト口に連通することを特徴とする請求項１に記載の遊技機。
【請求項３】
前記アウト口に、前記排出通路および前記第２の通路のそれぞれに連通する連通口を別々に形成したことを特徴とする請求項２に記載の遊技機。
【請求項４】
前記第２の通路に連通する連通口を前記アウト口の上部に設け、前記排出通路に連通する連通口を前記アウト口の下部に設けたことを特徴とする請求項３に記載の遊技機。
【発明の詳細な説明】
【技術分野】
【０００１】
本発明は、遊技機に関し、例えば、遊技球を貯留する球タンクおよび遊技球を受皿に供給する球通路から遊技球を排出する、所謂「球抜き」を行うパチンコ遊技機等の遊技機に関する。
【背景技術】
【０００２】
従来のパチンコ遊技機等の遊技機にあっては、遊技機の上方に設けられた球タンクに貯留された遊技球を遊技機の前面に設けられた受皿に供給する払出装置を備えており、この払出装置は球タンクから受皿に連通する球通路を備えている。
【０００３】
一方、球通路内で遊技球が詰まったとき、あるいは遊技機のメンテナンス時等に遊技球を球タンクおよび球通路から排出する、所謂「球抜き」を行うようになっている。従来のこの球抜きにあっては、遊技球を受皿に排出するもの（例えば、特許文献１参照）、または遊技球を遊技機の外部に排出するもの（例えば、特許文献２参照）が知られている。
【特許文献１】特開２０００−１２６４１０号公報
【特許文献２】特開平１１−１４６９５４号公報
【発明の開示】
【発明が解決しようとする課題】
【０００４】
しかしながら、球抜き時に遊技球を受皿に排出するものにあっては、受皿に遊技中の遊技球が貯留されている場合に、球抜きによって排出された遊技球が受皿に貯留している遊技球と混ざってしまうため、営業中、すなわち、遊技者が存在しているときに球抜き作業を行うことができないという問題があった。
【０００５】
また、球抜き時に遊技球を遊技機の外部に排出するものにあっては、受皿に貯留された遊技球と混ざることはないため、営業中に球抜き作業を行うことができるが、球抜きによって排出される遊技球が遊技者の目に触れることがないため、球抜きと賞球されるべき遊技球が何らかの不正により操作されることはないが、このような不正操作が行われたものと遊技者が勘違いを起こしてしまうような不安等を遊技者に与えてしまうおそれがあった。
【０００６】
本発明は、このような問題に鑑みなされたもので、営業中に球抜きを行うことができるとともに、球抜きの透明性を十分に確保して遊技者に不安を与えるのを防止することができる遊技機を提供することを目的としている。
【課題を解決するための手段】
【０００７】
本発明の遊技機は、遊技球が入賞可能な入賞口（例えば、大入賞口８、始動口１０、一般入賞口１６等）が設けられた遊技盤（例えば、遊技盤３等）と、前記遊技盤の下端部に開口し、前記入賞口に入賞しなかった遊技球を外部に排出する排出通路（例えば、排出通路４２等）に連通するアウト口（例えば、アウト口９等）と、前記アウト口の上方の前記遊技盤に開口する開口部（例えば、連通口４１ａ等）と、前記遊技盤の背面側に設けられ、遊技球を貯留する球タンク（例えば、球タンク１１等）と、前記球タンクに連通し、前記球タンクに貯留された遊技球を受皿（例えば、受皿２等）に供給する第１の通路（例えば、第１の通路４０等）および前記開口部（例えば、連通口４１ａ等）に供給する第２の通路（例えば、第２の通路４１等）を備えた球通路（例えば、球通路２４等）と、前記球通路内に設けられ、前記球通路を通過する遊技球を前記第１の通路または第２の通路に送り出す状態と前記第１の通路または第２の通路に送り出すのを規制する状態とに可変する球送り出し制御部材（例えば、電気駆動装置３２、スプロケット３９等）と、前記球送り出し制御部材の下流側の前記球通路内に設けられ、前記球通路を通過する遊技球の流路を前記第１の通路または前記第２の通路の何れか一方に切換える切換部材（例えば、切換スイッチ３７、切換弁３８等）と、遊技球の流路が前記第２の通路側に切換わるように前記切換部材が切換えられたことに連動して、前記球送り出し制御部材の規制を解除する解除部材（例えば、第１の直線部材３４、リンク部材３５、第２の直線部材３６等）とを備えたものから構成されている。
【０００８】
この構成により、球タンクを球通路に設けられた第２の通路を介して遊技盤に開口する開口部に連通し、遊技球の流路が開口部に連通する第２の通路側に切換わるように切換部材が切換えられたことに連動して、球送り出し制御部材の規制を解除して球通路内の遊技球の供給を許容するので、球抜き時に、球通路を通して遊技球を開口部から遊技盤面上を転動させた後にアウト口から排出することができる。このため、受皿に貯留された遊技球と球抜きされた遊技球が混ざるのを防止することができ、営業中に球抜きを行うことができる。
【０００９】
また、球抜き時に開口部から排出される遊技球を遊技者が視認することができるので、球抜きの透明性を十分に確保することができ、球抜きと賞球されるべき遊技球が何らかの理由で不正に操作されることはないが、このような不正操作が行われたものと遊技者が勘違いを起こしてしまうような不安等を遊技者に与えてしまうのを防止することができる。
【００１０】
また、本発明の遊技機の前記開口部は、前記アウト口に連通するものから構成されている。
この構成により、開口部が遊技盤の下端部に開口するアウト口に設けられるので、第２の通路から排出される遊技球が遊技盤上を転動する遊技球と混ざるのを確実に防止することができ、入賞口に入賞してしまうような事態が発生すること等を確実に防止することができる。
【００１１】
また、本発明の遊技機は、前記アウト口に、前記排出通路および前記第２の通路のそれぞれに連通する連通口（例えば、連通口４１ａ、４２ａ等）を別々に形成したものから構成されている。
【００１２】
この構成により、入賞口に入賞しなかった遊技球と球抜きによって排出される遊技球がアウト口から排出されるのを明確に区別することができる。
【００１３】
また、本発明の遊技機は、前記第２の通路に連通する連通口を前記アウト口の上部に設け、前記排出通路に連通する連通口を前記アウト口の下部に設けたものから構成されている。
【００１４】
この構成により、入賞口に入賞しなかった遊技球を、遊技盤上を転動させて遊技盤の下部に開口するアウト口から排出する一方で、球抜きにより排出される遊技球をアウト口から遊技盤の下部に排出して遊技者に視認させる必要があるが、第２の通路に連通する連通口の下部に排出通路に連通する連通口を形成すれば、遊技盤上を転動してアウト口から排出される遊技球と球抜きによってアウト口から遊技盤の下部に排出される遊技球がアウト口内で接触するのを防止することができる。
【００１５】
また、球抜きされる遊技球をアウト口の上部から排出することができるので、入賞口に入賞しなかった遊技球と球抜きによって排出される遊技球を明確に区別して視認することができる。
【発明の効果】
【００１６】
本発明の遊技機は、営業中に球抜きを行うことができるとともに、球抜きの透明性を十分に確保して遊技者に不安を与えるのを防止することができる遊技機を提供することができる。
【発明を実施するための最良の形態】
【００１７】
以下、本発明の実施の形態について、図面を用いて詳細に説明する。
図１〜図１４は本発明に係る遊技機の一実施の形態を示す図であり、本発明の遊技機をパチンコ遊技機に適用した例を示している。
【００１８】
まず、構成を説明する。図１において、パチンコ遊技機１は、遊技場の島設備にパチンコ遊技機１を設置するために設けられている外枠５と、外枠５の内側に設けられ、遊技盤３を備えた中枠６と、中枠６に回動可能に軸支され、遊技盤３を開放、開閉する前枠７と、前枠７の右下方に設けられ、遊技盤３上の遊技領域に向けて遊技球を発射するために回転操作される発射ハンドル４と、前枠７の下方に設けられ、遊技球を受け入れる受皿２とを備えている。
【００１９】
遊技盤３上の遊技領域には、大入賞口８、アウト口９、始動口１０、一般入賞口１６等が具備されている。大入賞口８は、遊技状態が大当り状態となったときに所定の条件で開閉し、大入賞口８に遊技球が入賞すると、図示しない払出制御回路によって所定数（例えば、１５個）の遊技球が賞球として払出されるようになっている。
【００２０】
アウト口９は、大入賞口８、始動口１０および一般入賞口１６よりも下方の遊技盤３の下端部に開口しており、入賞口を構成する始動口１０、大入賞口８または一般入賞口１６等の何れにも入賞しなかった遊技球を受け入れて機外に排出するようになっている。
【００２１】
始動口１０は、この始動口１０に具備されている始動領域を遊技球が通過したことを条件として図示しない主制御回路によって大当り判定用乱数値等が抽出されるようになっており、主制御回路はこの大当り判定用乱数値等に基づいて大当りの判定等を行うようになっている。
【００２２】
一般入賞口１６は、この一般入賞口１６に遊技球が入賞すると、図示しない払出制御回路によって定数の遊技球（例えば、１５個）が賞球として払出されるようになっている。
【００２３】
図２は、本実施の形態におけるパチンコ遊技機１の裏側を示す斜視図である。図２に示すように、パチンコ遊技機１の外枠５の背面には、外枠５の上方に設けられ、遊技球を貯留する球タンク１１と、球タンク１１から払出しあるいは貸し出された遊技球を払出装置１３へ導く２本の球レール１２と、補給された複数の遊技球の中から所定数の遊技球を払出すように構成された払出装置１３とを備えている。
【００２４】
また、図３に示すように、球レール１２から払出装置１３へ補給された遊技球は、払出装置１３によって受皿２あるいは、アウト口９に誘導される（詳しくは後述する）。払出装置１３には、切換スイッチ３７が設けられ、切換スイッチ３７が遊技時（図３では右側）に設定されている場合は、遊技球は受皿２に導かれるとともに、切換スイッチ３７が球抜き（図３では左側）に設定されている場合は、遊技球はアウト口９に導かれるようになっている。
【００２５】
払出装置１３は、図４に示すように、第１の払出ユニット２１、第２の払出ユニット２２および第３の払出ユニット２３から構成される。第１の払出ユニット２１と第３の払出ユニット２３は、その内部に球通路２４を有し、第２の払出ユニット２２を間に挟んで組み立てられる。
【００２６】
払出装置１３は、第１の払出ユニット２１と第２の払出ユニット２２間の球通路２４および第２の払出ユニット２２と第３の払出ユニット２３間の球通路２４の２本の球通路２４により、２本の球レール１２から導かれた遊技球を誘導する。
第２の払出ユニット２２は、図５に示すように、ベース部材３１と、電気駆動装置３２と、球検知センサ３３と、第１の直線部材３４と、リンク部材３５と、第２の直線部材３６と、切換スイッチ３７と、切換弁３８と、スプロケット３９とを備えている。
【００２７】
ベース部材３１は、図６に示すように、図６中、左右方向に延在する第１の直線溝部３１ａと、第１の直線溝部３１ａの右端に連続して屈曲する屈曲溝部３１ｂと、上端部が屈曲溝３１ｂに連続し、上下方向に延在する第２の直線溝部３２ｂと、屈曲溝３１ｂに対して左斜め下に設けられたリンク部材用孔３１ｄとを備えている。
【００２８】
第１の直線溝部３１ａには第１の直線部材３４が嵌合されるようになっており、第１の直線部材３４をこの第１の直線溝部３１ａに沿って移動するようになっている。
【００２９】
また、第２の直線溝部３１ｃには第２の直線部材３６が嵌合されるようになっており、第２の直線溝部３１ｃをこの第２の直線溝部３１ｃに沿って移動するようになっている。また、リンク部材３５は、図８に示すように扇形状部３５ａおよび扇形状部３５ａから垂直方向に延在する凸部３５ｂを備えており、凸部３５ｂをリンク部材用孔３１ｄに嵌合することにより、凸部３５ａを揺動支点として扇形状部３５ａが屈曲溝部３１ｂに沿って揺動するようになっている。
【００３０】
電気駆動装置３２は、バネ３２ａと、電磁ソレノイド３２ｂと、フラップ３２ｃとを備えている。フラップ３２ｃは、バネ３２ａによって上端部が押圧されることにより、通常は、図１０に示すように、下端部がスプロケット３９の羽根の回転を規制する状態となっている。
【００３１】
遊技球の払出し、あるいは貸し出しが行われる際は、電磁ソレノイド３２ｂを払出制御回路によって励磁することにより、フラップ３２ｃは図１２に示すように、電磁ソレノイド３２ｂに引きつけられ、スプロケット３９の回転規制が解除される。
【００３２】
また、球検知センサ３３は、球通路２４を通過する遊技球を検知するようになっており、この球検知センサ３３の検知信号は、払出制御回路に入力され、払出制御回路によって球通路２４を通過した遊技球の数等が認識される。
第１の直線部材３４、リンク部材３５および第２の直線部材３６は、ベース部材３１のそれぞれ第１の直線溝部３１ａ、屈曲溝部３１ｂ、第２の直線溝部３１ｃに嵌合され、切換部材３８が受皿２方向からアウト口９方向に流路を切換える動作に連動して、フラップ３２ｃを電磁ソレノイド３２ｂ側に移動させる。この動作については、後に詳述する。
【００３３】
切換スイッチ３７は、遊技球を受皿２またはアウト口９に誘導するための流路の切換を行う。本実施の形態では、切換スイッチ３７が遊技時（図３では右側）に設定されている場合は、遊技球は図１１に示すように第１の通路４０を介して受皿２に、切換スイッチ３７が球抜き（図３では左側）に設定されている場合は、図１３に示すように遊技球は第２の通路４１を介してアウト口９に誘導される。
【００３４】
図１４は、アウト口９の構成を示す図である。図１４において、アウト口９には第２の通路４１が連通しており、アウト口９には第２の通路４１の連通口４１ａおよび遊技球を外部に排出する排出通路４２の連通口４２ａが別々に形成されている。
【００３５】
また、第２の通路４１の連通口４１ａはアウト口９の上部に連通しており、排出通路４２の連通口４２ａはアウト口９の下部に連通している。なお、本実施の形態では、第２の通路４１の連通口４１ａが開口部を構成している。
【００３６】
また、図１０に示すように、切換弁３８は、球通路２４内に配置されており、球タンク１１および球通路２４を流下する遊技球の流路を受皿２または第２の通路４１に誘導するように切換えられるようになっている。
【００３７】
図７は、第２の直線部材３６、切換スイッチ３７および切換弁３８の結合関係を示す図である。図７において、切換弁３８は三角形状の板状部材から構成されており、切換弁３８の上端部には曲面を有する結合部３８ａが設けられ、この結合部３８ａは切換スイッチ３７の下端部中央に形成された切り欠き部３７ｃに嵌合される。
【００３８】
このため、切換スイッチ３７を動作させることにより、切換弁３８が移動し、球通路２４内の遊技球の流路が第１の通路方向４０方向または第２の通路４１方向に切換わる。また、切換スイッチ３７を動作させることにより、第２の直線部材３６は、切換弁３８の流路が受皿２方向の場合は下方に、アウト口９方向の場合は上方に移動する。
【００３９】
また、第２の直線部材３６には凸部３６ａが形成されており、この凸部３６ａは、切換スイッチ３７の背面から見て左上がりに傾斜して形成された凹部３７ｄと摺動自在に係合するようになっている。
【００４０】
このため、切換スイッチ３７を動作させることにより、凹部３７ｄに沿って凸部３６ａが移動することにより、第２の直線部材３６が上述したように上下方向に移動する。そして、第２の直線部材３６が下方に移動したときには、リンク部材３５および第１の直線部材３４がフラップ３２ｃを電磁ソレノイド３２ｂに移動させないので、フラップ３４ｃがバネ３２ａに付勢されてフラップ３２ｃの下端部がスプロケット３９に当接され、スプロケット３９の羽根が回転しないように回転が規制される。
【００４１】
また、第２の直線部材３６が上方に移動したときには、リンク部材３５および第１の直線部材３４がフラップ３２ｃを電磁ソレノイド３２ｂ側に移動させ、フラップ３２ｃの下端部をスプロケット３９から離隔させることにより、スプロケット３９の羽根が回転を許容する。
【００４２】
なお、切換スイッチ３７の上端部には凸部３７ａが設けられており、この凸部３７ａは、切換スイッチ３７がベース部材３１上を左右に移動する際、球抜き設定用凹部３１ｅまたは遊技時設定用凹部３１ｆ（図６参照）に嵌合することにより、定位置に固定され、図中左右方向に移動することが禁止される。
【００４３】
また、切換スイッチ３７は、凸部３７ａの下方に直線状の孔部３７ｂが形成されており、凸部３７ａが凹部３１ｅまたは凹部３１ｆに嵌合する位置に移動するまで間に、凸部３７ａが下方に撓むのを許容し、切換スイッチ３７の移動をスムーズに行うことができるようにしている。
【００４４】
また、スプロケット３９は、球通路２４内に配置されており、遊技球を球通路２４の下流側に送り出すようになっている。スプロケット３９は、図９に示すように、１２０度の間隔で配置された３枚の羽根が両側に形成された形状を有し、両側の羽根はそれぞれ６０度ずつずれて形成されている。
【００４５】
スプロケット３９は、羽根の内側に球受け部３９ａを備えており、遊技球を１つずつ球受け部３９ａに受けて下流側に送り出す。また、スプロケット３９は３枚の羽根の間隔が１つの遊技球を送り出す間隔になるように設定されている。
【００４６】
なお、本実施の形態において、電気駆動装置３２およびスプロケット３９が球通路２４内に設けられ、球通路２４を通過する遊技球を第１の通路４０または第２の通路４１に送り出す状態と第１の通路４０または第２の通路４１に送り出すのを規制する状態とに可変する球送り出し制御部材を構成している。
【００４７】
また、切換スイッチ３７および切換弁３８は、スプロケット３９の下流側の球通路２４内に設けられ、球通路２４を通過する遊技球の流路を第１の通路４０または第２の通路４１の何れか一方に切換える切換部材を構成している。
【００４８】
さらに、第１の直線部材３４、リンク部材３５および第２の直線部材３６が遊技球の流路が第２の通路４１側に切換わるように切換スイッチ３７および切換弁３８が切換えられたことに連動して、スプロケット３９の規制を解除する解除部材を構成している。
【００４９】
次に、本実施の形態に係るパチンコ遊技機１において、払出装置１３内の球通路２４を受皿２方向あるいはアウト口９方向に切換える方法について、図１０〜図１４を用いて説明する。
【００５０】
図１０は、切換スイッチ３７が遊技時に設定されている状態を示す図である。図１０において、遊技場の店員等が切換スイッチ３７を右側に移動させることにより、第２の直線部材３６の凸部３６ａが切換スイッチ３７の凹部３７ｄに沿って第２の直線部材３６が図１０中、下方に移動する。
【００５１】
このとき、リンク部材３５および第１の直線部材３４がフラップ３２ｃを電磁ソレノイド３２ｂに移動させないので、フラップ３４ｃがバネ３２ａに付勢されてフラップ３２ｃの下端部がスプロケット３９に当接され、スプロケット３９の羽根が回転しないようにその回転が規制される。
【００５２】
また、遊技時において、遊技球の払出し、あるいは貸し出しを行う際には、主制御回路によって電磁ソレノイド３２ｂの励磁を行うことにより、フラップ３２ｃが電磁ソレノイド３２ｂに引き付けられ、スプロケット３９の回転によって遊技球が流下される。このとき、図１０の状態にある切換弁３８が、図１１に示すように、第２の通路４１に遊技球を導くのを禁止し、球通路２４を第１の通路４０に連通する。このため、球通路２４内の遊技球は第１の通路４０を介して受皿２に供給される。
【００５３】
一方、球通路２４内で遊技球が詰まったとき、あるいはパチンコ遊技機１のメンテナンスを行うとき等にあっては、遊技球を球タンク１１および球通路２４から排出する球抜きを行う。
【００５４】
このとき、図１２に示すように、店員等が切換スイッチ３７を左側に移動させることにより、第２の直線部材３６の凸部３６ａが切換スイッチ３７の凹部３７ｄに沿って第２の直線部材３６が図１２中、上方に移動する。
【００５５】
このとき、リンク部材３５は、第２の直線部材３６の上方への移動に連動して、第１の直線部材３４側に揺動する。第１の直線部材３４は、リンク部材３５の揺動に連動して、図１２中、左方に移動し、フラップ３２ｃを電磁ソレノイド３２ｂ側に押すため、フラップ３２ｃの下端部がスプロケット３９から離隔する。
【００５６】
これにより、フラップ３２ｃによる回転規制が解除されるので、スプロケット３９は自由に回転することができ、遊技球は、流下可能な状態となる。図１２の状態における切換弁３８は、図１３に示すように、受皿２へ誘導する第１の通路４０を塞ぐので、図１４に示すように、遊技球Ｂは第２の通路４１を介してアウト口９に排出される。
【００５７】
すなわち、第２の通路４１に導かれた遊技球Ｂは連通口４１ａから遊技盤３の下端部側に排出されて、遊技盤３上を所定時間だけ転動することで遊技者の目に視認された後、連通口４１ａの下端部に設けられた連通口４２ａを通して排出通路４２に導かれ、排出通路４２を通して外部に排出される。
【００５８】
このように本実施の形態では、遊技時から球抜きを行うときに、遊技球の流路がアウト口９に連通する第２の通路４１側に切換わるように切換弁３８が切換えられたことに連動して、スプロケット３９の規制を解除して球通路２４内の遊技球の供給を許容するようにしたので、球抜き時にアウト口９を通して遊技球を遊技盤３面に排出した後、アウト口９から排出することができる。このため、受皿２に貯留された遊技球と球抜きされた遊技球が混ざるのを防止することができ、営業中に球抜きを行うことができる。
【００５９】
また、球抜き時にアウト口９から排出される遊技球を遊技者が視認することができるので、球抜きの透明性を十分に確保することができ、球抜きと賞球されるべき遊技球が何らかの理由で不正に操作されることはないが、このような不正操作が行われたものと遊技者が勘違いを起こしてしまうような不安等を遊技者に与えてしまうのを防止することができる。
【００６０】
また、本実施の形態では、球抜き時に遊技球をアウト口９から排出するようにしたので、第２の通路４１から排出される遊技球が遊技盤３上を転動する遊技球と混ざるのを確実に防止することができ、遊技球が大入賞口８、始動口１０および一般入賞口１６に入賞してしまうような事態が発生すること等を確実に防止することができる。
【００６１】
また、本実施の形態では、アウト口９に、排出通路４２および第２の通路４１のそれぞれに連通する連通口４２ａ、４１ａを別々に形成したので、大入賞口８、始動口１０および一般入賞口１６に入賞しなかった遊技球と球抜きによって排出される遊技球がアウト口９から排出されるのを明確に区別することができる。
【００６２】
また、本実施の形態では、第２の通路４１に連通する連通口４１ａをアウト口９の上部に設け、排出通路４２に連通する連通口４２ａをアウト口９の下部に設けたので、以下のような効果を得ることができる。
【００６３】
すなわち、大入賞口８、始動口１０および一般入賞口１６に入賞しなかった遊技球を、遊技盤３上を転動させて遊技盤３の下部に開口するアウト口９から排出する一方で、球抜きにより排出される遊技球をアウト口９から遊技盤３の下部に排出して遊技者に視認させる必要があるが、第２の通路４１に連通する連通口４１ａの下部に排出通路４２に連通する連通口４２ａを形成すれば、遊技盤３上を転動してアウト口９から排出される遊技球と球抜きによってアウト口９から遊技盤３の下部に排出される遊技球がアウト口９内で接触するのを防止することができる。
【００６４】
また、球抜きされる遊技球をアウト口９の上部から排出することができるので、大入賞口８、始動口１０および一般入賞口１６に入賞しなかった遊技球と球抜きによって排出される遊技球を明確に区別して視認することができる。
【００６５】
なお、本実施の形態では、球送り出し制御部材として、スプロケット３９を設け、スプロケット３９の回転を許容または規制することによって遊技球を第１の通路４０または第２の通路４１に送り出すのを許容または禁止しているが、第１の通路４０または第２の通路４１の上流側の球通路２４を開閉するプレート等を設け、遊技球を第１の通路４０または第２の通路４１に送り出すときには、プレートによって球通路２４を開放し、遊技球を第１の通路４０または第２の通路４１に送り出すのを禁止するときには、プレートによって球通路２４を閉塞するようにしても良い。
【００６６】
また、本実施の形態では、アウト口９に第２の通路４１を連通しているが、これに限らず、アウト口９の上方の遊技盤３に開口部を設け、第２の通路４１をこの開口部に連通するようにしても良い。
【００６７】
この場合には、球抜き時に開口部から排出された遊技球が大入賞口８、始動口１０および一般入賞口１６に入賞するのを防止するために、開口部は大入賞口８、始動口１０および一般入賞口１６の上方に位置しないようにするのが好ましい。
【図面の簡単な説明】
【００６８】
【図１】本発明の一実施の形態のパチンコ遊技機の外観を示す斜視図
【図２】一実施の形態のパチンコ遊技機の裏面概観図
【図３】一実施の形態のパチンコ遊技機の払出装置の拡大図
【図４】一実施の形態のパチンコ遊技機の払出装置の分解斜視図
【図５】図４における第２の払出ユニットの分解斜視図
【図６】図５におけるベース部材の拡大図
【図７】一実施の形態のパチンコ遊技機の切換部材の組み立てを説明するための図
【図８】図５におけるリンク部材の拡大図
【図９】図５におけるスプロケットの拡大図
【図１０】一実施の形態のパチンコ遊技機の遊技時に設定された第２の払出ユニットの正面図
【図１１】図１０における球通路を示す図
【図１２】一実施の形態のパチンコ遊技機の球抜き時に設定された第２の払出ユニットの正面図
【図１３】図１２における球通路を示す図
【図１４】一実施の形態のパチンコ遊技機のアウト口内の概略構成を示す図
【符号の説明】
【００６９】
１  パチンコ遊技機（遊技機）
２  受皿
３  遊技盤
８  大入賞口（入賞口）
９  アウト口
１０  始動口（入賞口）
１１  球タンク
１６  一般入賞口（入賞口）
２４  球通路
３２  電気駆動装置（球送り出し制御部材）
３４  第１の直線部材（解除部材）
３５  リンク部材（解除部材）
３６  第２の直線部材（解除部材）
３７  切換スイッチ（切換部材）
３８  切換弁（切換部材）
３９  スプロケット（球送り出し制御部材）
４０  第１の通路
４１  第２の通路
４１ａ  連通口
４２  排出通路
４２ａ  連通口
【図１】
0004699871.tif 000002
【図２】
0004699871.tif 000003
【図３】
0004699871.tif 000004
【図４】
0004699871.tif 000005
【図５】
0004699871.tif 000006
【図６】
0004699871.tif 000007
【図７】
0004699871.tif 000008
【図８】
0004699871.tif 000009
【図９】
0004699871.tif 000010
【図１０】
0004699871.tif 000011
【図１１】
0004699871.tif 000012
【図１２】
0004699871.tif 000013
【図１３】
0004699871.tif 000014
【図１４】
0004699871.tif 000015